(57)【要約】【課題】監視システムでは、通報装置が故障したり、監視カメラやＷＥＢエンコーダに異常が発生した場合等監視システムの利用者がそれに気付かなかった場合、侵入者等の異常を検知することができず、監視システムのような極めて高いセキュリテイを要求されるようなシステムでは、これが原因で大惨事や損害を招いてしまうということも考えられる。【解決手段】映像信号入力部と、上記映像信号入力部からの映像信号をデジタル画像に変換するエンコーダ部と、上記エンコーダ部からのデジタル画像を蓄積し配信する機能を有する映像蓄積配信装置と、上記映像蓄積配信装置の蓄積映像を読み出し、上記映像の変化を検出する処理装置および情報端末装置からなり、上記処理装置は、稼動情報を送信する時間間隔設定機能を有し、上記時間間隔設定機能に基づいて上記処理装置の稼動情報を上記情報端末装置に送信する。【選択図】図１
2005038114.tif 000002
【特許請求の範囲】
【請求項１】
映像信号入力部と、上記映像信号入力部からの映像信号をデジタル画像に変換するエンコーダ部と、上記エンコーダ部からのデジタル画像を蓄積し配信する機能を有する映像蓄積配信装置と、上記映像蓄積配信装置の蓄積映像を読み出し、上記映像の変化を検出する処理装置および情報端末装置からなり、上記処理装置は、稼動情報を送信する時間間隔設定機能を有し、上記時間間隔設定機能に基づいて上記処理装置の稼動情報を上記情報端末装置に送信することを特徴とする情報通報システム。
【請求項２】
撮像部と、上記撮像部からの映像信号をデジタル画像に変換するエンコーダ部と、上記エンコーダ部からのデジタル画像を蓄積し配信する機能を有する映像蓄積配信装置と、上記映像蓄積配信装置の蓄積映像を読み出し、上記映像の変化を検出する処理装置および情報端末装置からなり、上記映像蓄積配信装置は、少なくとも上記撮像部および上記エンコーダ部のいずれか一方からの異常情報を上記処理装置に送信する機能を有し、上記処理装置は、上記異常情報を検出した場合、上記情報端末装置に警告情報を送信する機能を有することを特徴とする情報通報システム。
【請求項３】
映像信号を入力するステップ、上記映像信号をエンコードし、映像蓄積配信装置に蓄積するステップ、上記蓄積された映像信号を配信するステップおよび処理装置において上記配信された映像信号の変化を異常情報として検出するステップおよび上記異常情報を警告情報として表示するステップからなり、上記映像信号の異常情報を検出した場合、上記警告情報を送信するステップと、上記警告情報が所定期間送信されない場合、上記処理装置の稼動情報を送信するステップを有することを特徴とする情報通報方法。
【発明の詳細な説明】
【０００１】
【発明の属する技術分野】
本発明は、情報通報システムおよび情報通報方法に関し、特に、ネットワーク監視システムの一部である警告通報システムの稼動状態を確認することのできる情報通報システムおよび情報通報方法に関するものである。
【０００２】
【従来の技術】
近年、監視カメラを用いた侵入者監視システムにおいて、監視映像をインターネットやＬＡＮ等のネットワーク技術を用いて映像蓄積及び映像配信する技術が開発されてきている。さらに、映像をハードディスクやＤＶＤ（Ｄｉｇｉｔａｌ  Ｖｅｒｓａｔｉｌｅ  Ｄｉｓｃ）などの記憶装置にディジタルデータとして蓄積する技術も開発されている。また、携帯電話や携帯情報端末（Ｐｅｒｓｏｎａｌ  Ｄｉｇｉｔａｌ  Ａｓｓｉｓｔａｎｔ：ＰＤＡ）等の携帯端末の普及に伴い、映像配信技術によって配信される映像を携帯端末で受信し、映像を閲覧できる技術が本発明者らによって特願２００２−２８０８１９、出願日平成１４年９月２６日として提案されている。
【０００３】
更に、画像認識技術を用いて監視カメラの映像の変化を抽出し、警告情報として、ネットワーク接続されたパソコン（ＰＣ）や携帯端末に送信する技術も本発明者らによって特願２００２−３４７２０２、出願日平成１４年１１月２９日として提案されている。
【０００４】
従来の映像配信システムについて図１５および図１６を用いて説明する。図１５は、従来のネットワーク監視システムの構成を示すブロック図である。図１５において、１５０１−１、１５０１−２、・・・１５０１−ｎ（ｎ＝１、２、・・・）は、複数の監視カメラを表す。なお、監視カメラを総称する場合は，１５０１で代表するものとする。その他の装置についても同様とする。１５０２は、ＬＡＮ（Ｌｏｃａｌ  Ａｒｅａ  Ｎｅｔｗｏｒｋ）のような映像信号の伝送路、１５０３−１、１５０３−２、・・・１５０３−ｎは、Ｗｅｂエンコーダである。１５０４は、映像蓄積配信装置で、複数の監視カメラからの映像を蓄積し、必要なユーザーに配信する機能を有する。１５０５−１、１５０５−２、・・・１５０５−ｍ（ｍ＝１、２、・・・）は、ブラウザＰＣを示し、監視システム全体を管理する機能を有する。１５０６は、ハブを示し、伝送路１５０２にそれぞれの機器からの信号が交換接続あるいは配信接続される機能を有する。１５０７は、映像閲覧用データ変換装置であり、映像蓄積配信装置１５０４に蓄積されている映像の一部を携帯端末からアクセスできるように画像を縮小する機能を有する。即ち、携帯端末に送信する画像のデータ量を少なくした縮小画像（サムネール画像とも呼ばれる。）を作成し、蓄積する機能を有する。１５０８は、モデムで、映像信号を所定の方式に変換し、公衆回線等に送出できるようにする機能を有する。１５０９は、公衆回線による伝送路、１５１０は、インターネットなどのＷＡＮ（Ｗｉｄｅ  Ａｒｅａ  Ｎｅｔｗｏｒｋ）ネットワーク、１５１１は、携帯電話会社、１５１２−１、１５１２−２、・・・１５１２−Ｌ（Ｌ＝１、２、・・・）は、携帯端末、１５１３−１、１５１３−２、・・・１５１３−ｐ（ｐ＝１、２、・・・）は、クライアント情報端末（Ｐｅｒｓｏｎａｌ  ｃｏｍｐｕｔｅｒ：ＰＣ）である。１５１５は、通報装置である。
【０００５】
映像閲覧用データ変換装置１５０７および通報装置１５１５は、複数の監視カメラ１５０１、複数のＷＥＢエンコーダ１５０３、映像蓄積配信装置１５０４および複数のブラウザＰＣ１５０５と、ＬＡＮのような伝送路１５０２及びハブ１５０６を介して接続されている。また、それらは、例えば、モデム１５０８を介してＷＡＮのようなネットワーク１５１０および電話会社１５１１を介して携帯端末１５１２に接続され、また、モデム１５０８を介してクライアントＰＣ１５１３に接続されている。
【０００６】
図１６は、映像蓄積配信装置１５０４、ブラウザＰＣ１５０５、映像閲覧用データ変換装置１５０７、携帯端末１５１２、クライアントＰＣ１５１３及び通報装置１５１５のハードウェア構成の一例を示すブロック図である。勿論、それぞれの機能的な違いによりインストールされているソフト（動作プログラム）は異なるが、ハードウェア構成は、類似しているので、ここではその一例を示している。１６０１は、ＣＰＵ（Ｃｅｎｔｒａｌ  Ｐｒｏｃｅｓｓｉｎｇ  Ｕｎｉｔ）、１６０２は、動作プログラム等を記憶するメモリ、１６０３は、ネットワークインタフェースである。
【０００７】
１６０４は、記憶装置であるが、映像蓄積配信装置１５０４の記憶装置としては、監視カメラ１５０１の画像を記録するため、記憶容量が大きい記録媒体、例えば、ＶＴＲ等が利用可能である。また、ランダムアクセス可能な磁気デスク（ＨＤ：ハードデスク）やＤＶＤ（Ｄｉｇｉｔａｌ  Ｖｅｒｓａｔｉｌｅ  Ｄｉｓｃ）等が好適である。１６０５は、入力インタフェース、１６０８は、キーボード等の入力機器、１６０９は、マウスなどのポインティングデバイス、１６０６は、ビデオインタフェース、１６０７は、モニタ、１６１０は、バスである。
【０００８】
ＣＰＵ１６０１〜ビデオインタフェース１６０６は、バス１６１０を介して相互に接続されており、モニタ１６０７は、ビデオインタフェース１６０６を介してバス１６１０と接続され、入力機器１６０８とポインティングデバイス１６０９は、入力インタフェース１６０５を介してバス１６１０と接続されている。また、ネットワークインタフェース１６０３は、ＬＡＮの伝送路１５０２や公衆回線１５０９と必要に応じて接続される。
【０００９】
まず、映像蓄積配信装置１５０４に監視カメラ１５０１で撮影した映像を蓄積、配信する方法について以下に説明する。例えば、所定の監視位置に設置された監視カメラ１５０１−１は、連続して常時撮影を行っており、撮影された映像は、ＬＡＮの伝送路１５０２、ＷＥＢエンコーダ１５０３−１、ハブ１５０６を介して映像蓄積配信装置１５０４に蓄積される。携帯端末１５１２やクライアントＰＣ１５１３を操作することにより、映像閲覧用データ変換装置１５０７は、蓄積配信装置１５０４から所望の映像をとりだし、縮小画像として携帯端末１５１２やクライアントＰＣ１５１３に送信する。このような方法で携帯端末１５１２やクライアントＰＣ１５１３から映像蓄積配信装置１５０４の映像を閲覧することが可能である。
【００１０】
次に、従来の監視等による警告情報を生成、送信する方法について説明する。通報装置（または処理装置とも言う。）１５１５は、映像蓄積配信装置１５０４から映像を取り出し、以前取り出した映像と現在取り出した映像を比較し、映像の変化を抽出する、所謂、画像認識技術により異常を検出し、蓄積する機能を有する。なお、画像認識技術により異常を検出する技術は、例えば、前後のフレーム画面の輝度成分の変化分を検出したり、あるいは、映像信号のスペクトラムを比較する方法等従来から周知の方法であるので、詳細な説明は省略する。
【００１１】
さて、比較の結果、映像に変化があった場合、異常ありとして、異常ありの映像を異常を検出した日時や必要なメッセージとともに通報装置１５１５に蓄積すると共に異常警報情報として携帯端末１５１２やクライアントＰＣ１５１３に配信する。即ち、異常警報情報は、通報装置１５１５からハブ１５０６、モデム１５０８、ネットワーク１５１０を介して携帯電話会社１５１１やクライアントＰＣ１５１３に接続されたモデム１５０８を介して携帯端末１５１２やクライアントＰＣ１５１３に配信される。
【００１２】
また、特定地域の監視情報供給方法（例えば、特許文献１参照。）には、特定の領域に設置された監視端末と、その監視端末に対応する利用者とをそれぞれ登録し、管理コンピュータが監視端末と利用者とをリンクするように処理する方法が提案されている。
【００１３】
【特許文献１】
特開２００２−１５７１７３号公報（第３−６頁、図１、４、５）
【００１４】
【発明が解決しようとする課題】
上述したネットワーク監視システムでは、通報装置１５１５が正常に稼動しているかを確認する方法がなく、何らかの原因で通報装置が故障したり、また、監視カメラやＷＥＢエンコーダに異常が発生した場合等、監視システムの利用者がそれに気付かなかった場合、侵入者等の異常を検知することができない。従って、利用者は、これらの異常が発生したことに長時間気付かなかった場合、監視システムのような極めて高いセキュリテイを要求されるようなシステムでは、これが原因で大惨事や損害を招いてしまうということも考えられる。
【００１５】
本発明の目的は、ネットワーク監視システムの異常を確認できる情報通報システムおよび情報通報方法を提供することにある。
【００１６】
本発明の他の目的は、通報装置の稼動を確認できる情報通報システムおよび情報通報方法を提供することにある。
【００１７】
本発明の更に他の目的は、監視カメラやＷＥＢエンコーダ等の異常を確認できる情報通報システムおよび情報通報方法を提供することにある。
【００１８】
【課題を解決するための手段】
本発明の情報通報システムは、映像信号入力部と、上記映像信号入力部からの映像信号をデジタル画像に変換するエンコーダ部と、上記エンコーダ部からのデジタル画像を蓄積し配信する機能を有する映像蓄積配信装置と、上記映像蓄積配信装置の蓄積映像を読み出し、上記映像の変化を検出する処理装置および情報端末装置からなり、上記処理装置は、稼動情報を送信する時間間隔設定機能を有し、上記時間間隔設定機能に基づいて上記処理装置の稼動情報を上記情報端末装置に送信するように構成される。
【００１９】
また、本発明の情報通報システムにおいて、上記処理装置は、更に、上記映像の異常情報を検出した場合、上記情報端末装置に警告情報を送信する機能を有し、上記警告情報を最後に送信した時刻から現在の時刻までの経過時間が上記時間間隔設定機能で設定した上記稼動情報を送信する送信間隔に等しいかまたはこえるとき、上記処理装置の稼動情報を上記情報端末装置に送信するように構成される。
【００２０】
また、本発明の情報通報システムにおいて、上記稼動情報は、稼動時刻情報と監視画像情報を含む。
【００２１】
また、本発明の情報通報システムにおいて、上記情報端末装置は、上記処理装置に処理装置の稼動情報を要求する機能を有し、上記情報端末装置の稼動情報要求に基づいて上記処理装置は、上記情報端末装置に稼動情報を送信するように構成される。
【００２２】
更に、本発明の情報通報システムは、撮像部と、上記撮像部からの映像信号をデジタル画像に変換するエンコーダ部と、上記エンコーダ部からのデジタル画像を蓄積し配信する機能を有する映像蓄積配信装置と、上記映像蓄積配信装置の蓄積映像を読み出し、上記映像の変化を検出する処理装置および情報端末装置からなり、上記映像蓄積配信装置は、少なくとも上記撮像部および上記エンコーダ部のいずれか一方からの異常情報を上記処理装置に送信する機能を有し、上記処理装置は、上記異常情報を検出した場合、上記情報端末装置に警告情報を送信する機能を有する。
【００２３】
また、本発明の情報通報システムにおいて、上記映像蓄積配信装置から送信される異常情報は、上記撮像部の異常情報と上記エンコーダ部の異常情報とで異ならせるように構成される。
【００２４】
また、本発明の情報通報システムにおいて、上記処理装置は、更に、稼動情報を送信する時間間隔設定機能を有し、上記時間間隔設定機能に基づいて上記通報装置の稼動情報を上記情報端末装置に送信する。
【００２５】
また、本発明の情報通報システムにおいて、上記処理装置は、更に、少なくとも上記撮像部および上記エンコーダ部のいずれか一方のエラー復帰情報を作成する機能を有し、上記情報端末装置に上記エラー復帰情報を送信するように構成される。
【００２６】
更にまた、本発明の情報通報方法は、映像信号を入力するステップ、上記映像信号をエンコードし、映像蓄積配信装置に蓄積するステップ、上記蓄積された映像を配信するステップおよび処理装置において上記配信された映像信号の変化を異常情報として検出するステップおよび上記異常情報を警告情報として表示するステップからなり、上記映像の異常情報を検出した場合、上記警告情報を送信するステップと、上記警告情報が所定期間送信されない場合、上記処理装置の稼動情報を送信するステップを有するように構成される。
【００２７】
【発明の実施の形態】
本発明の第１の実施例を図１、２、３および４を用いて説明する。なお、本発明に使用されるネットワーク監視システムは、図１５に示される構成と同じものであるので、詳細な説明は省略する。図２は、本発明に使用する通報装置（または処理装置とも呼ばれる。）１５１５のブロック図を示すもので、２０１は、ＣＰＵ１６０１に設けられたタイマである。なお、図１６と同じものには、同じ符号が付されている。このタイマ２０１は、所定の時刻または時間間隔を設定するためのものである。即ち、通報装置１５１５から所定の通報情報が送信された時刻から予め設定した時間が経過した時点で再度警報情報が送信されていない場合、このタイマの働きにより携帯端末１５１２やクライアントＰＣ１５１３に通報装置１５１５が稼動していることを示す稼動情報を送信するものである。ここで、警告情報とは、通報装置１５１５から携帯端末１５１２やクライアントＰＣ１５１３に送信される異常情報、エラー情報等の総称を言う。従って、警告情報には、監視カメラの映像の異常（映像の中に存在する所定の物体、例えば、侵入物体が検出された場合等）を示す情報の他、後述する監視カメラのエラー情報、エラー復帰情報等も含まれる。また、必ずしも警告を意図した情報でなくても良い。
【００２８】
以下、本発明の情報通報方法について図１を用いて説明する。図１は、本発明の動作を説明するためのフローチャートである。なお、このフローチャートは、主として通報装置１５１５の処理動作を管理するＣＰＵ１６０１の動作と条件設定を行なうブラウザＰＣ１５０５の動作で説明するが、これらに限定されるものでないことは言うまでもない。以下の各実施例においても同様である。ステップ１０１は、通報装置１５１５が稼動情報を通知する時間間隔、所謂、無送信期間を設定するステップである。以下、稼動情報送信時間間隔と言う。稼動情報送信時間間隔とは、通報装置１５１５が所定の期間を超えて、例えば、警告情報を通知しない場合、通報装置１５１５が警告情報とは別の稼動情報（通報装置１５１５が正常に動作している旨の確認情報）を通知する時間間隔のことを言う。ここで、稼動情報送信時間間隔の設定の一実施例について図３を用いて説明する。
【００２９】
図３は、稼動情報送信時間間隔の設定内容をブラウザＰＣ１５０５で表示した場合の表示画面である。画面３０１は、ブラウザＰＣ１５０５のモニタ１６０７に表示された稼動情報送信設定画面で、稼動情報送信時間間隔を設定する場合にマウス等の入力端末１６０９で所定のメニュー画面から呼出される画面である。時間ボタン３０２は、稼動情報送信時間間隔における「時間」単位を設定するボタンであり、分ボタン３０３は、稼動情報送信時間間隔における「分」単位を設定するボタンである。この時間ボタン３０２及び分ボタン３０３を使用して、例えば、１０分単位で時間の設定をすることが可能である。画面３０１では、０２時間００分が設定されており、２時間間隔で通報装置１５１５の稼動情報が通知されることを示している。また稼動情報を送信しないように設定する場合は、時間ボタン３０２及び分ボタン３０３を「００」に設定する。
【００３０】
添付画像ボタン３０４は、通報装置１５１５より送信される稼動情報に画像を添付するか否かを設定するボタンである。「あり」を設定した場合、通報装置１５１５で稼動情報が作成される時刻の画像が添付される。送信ボタン３０５は、時間ボタン３０２及び分ボタン３０３で設定した時間を稼動情報送信時間間隔とし、添付画像ボタン３０４で設定した内容とともにＣＰＵ１６０１に送信され、ＣＰＵ１６０１に稼動情報送信時間間隔０２時間００分が設定される。これによって通報装置１５１５は、２時間間隔で正常に動作している旨の稼動情報を送信することができる。なお、時間ボタン３０２及び分ボタン３０３で稼動情報送信時間間隔を設定しても、その後に送信ボタン３０５を押下しなかった場合は、設定は無効となる。
【００３１】
ステップ１０２は、本発明のネットワーク監視システムが監視を開始するに当たり開始時間を設定するステップである。例えば、タイマ２０１をリセットし、経過時間「００」を設定する。従って、タイマは、この時点からカウントを開始する。
【００３２】
ステップ１０３は、警告情報送信ステップで、前述したように通報装置１５１５で監視処理を行っている場合、異常を検出したことにより警告情報を携帯端末１５１２やクライアントＰＣ１５１３に送信したかを判断するステップである。警告情報を送信した場合はステップ１０４に進み、送信していない場合はステップ１０５に進む。
【００３３】
ステップ１０４は、経過時間初期化ステップで、警告情報を送信した場合に、タイマ２０１をリセットし、経過時間「００」を設定する。従って、タイマは、この時点から改めて経過時間のカウントを開始する。
【００３４】
ステップ１０５は、タイマに設定されている現在の経過時間、即ち、最後に警告情報を送信した時刻から現在までの経過時間が稼動情報送信時間間隔よりも長いか、短いかを判断するステップである。上記経過時間が稼動情報送信時間間隔よりも長い場合は、ステップ１０６に進み、短い場合はステップ１０３に戻る。
【００３５】
ステップ１０６は、通報装置１５１５が稼動中であることを知らせる稼動情報（通報装置１５１５の稼動確認情報）を作成し、通報装置１５１５から携帯端末１５１２やクライアントＰＣ１５１３に、稼動情報を送信するステップである。この稼動情報を送信する方法は、一般には電子メールであるが、携帯端末１５１２やクライアントＰＣ１５１３が受信できる送信方法であれば、電子メール以外の方法でも構わない。図４は、例えば、上記稼動情報を携帯端末１５１２で表示した場合の画面の一実施例を示す。画面４０１は、携帯端末１５１２のモニタ１６０７に表示された画面である。文章４０２は、通報装置１５１５が稼動中であることを示す文章「警告通報システム稼動中」が表示され、同時に現在時刻「１０時１５分１７秒」が表示される。また、図３の添付画像ボタン３０４において「あり」を設定した場合、稼動情報作成時の監視画像が添付画像４０３として表示される。添付画像４０３は、映像蓄積配信装置１５０４から通報装置１５１５に取りこまれる画像（または、映像とも言う。）あるいはその画像の縮小画像（画素数を少なくしたサムネール画像）である。
【００３６】
以上説明したように本実施例では、通報装置１５１５から警告情報を携帯端末１５１２やクライアントＰＣ１５１３に送信するが、その送信間隔が長くなる場合、警告情報とは別に所定間隔で通報装置１５１５の稼動情報を携帯端末１５１２やクライアントＰＣ１５１３に送信するようにしたものである。
【００３７】
次に、本発明の第２の実施例として、携帯端末１５１２やクライアントＰＣ１５１３から通報装置１５１５に稼動情報を要求した場合、通報装置１５１５から携帯端末１５１２やクライアントＰＣ１５１３に稼動情報を送信する方法について、図２、図４、図５、図６を用いて説明する。
【００３８】
図５は、本発明の第２の実施例を説明するためのフローチャートである。ステップ５０１は、通報装置１５１５において、携帯端末１５１２やクライアントＰＣ１５１３へ送信する稼動情報の内容（以下、送信稼動情報と称する。）を設定するステップである。ここで、送信稼動情報の設定の一実施例について図６を用いて説明する。図６において、６０１は、携帯端末１５１２やクライアントＰＣ１５１３へ送信稼動情報の設定内容をブラウザＰＣ１５０５で表示する場合の稼動情報送信設定画面である。送信稼動情報の内容を設定する場合、ブラウザＰＣ１５０５のモニタ１６０７にマウス等の入力端末１６０９で所定のメニュー画面から稼動情報送信設定画面を呼出す。なお、稼動情報は、特定の個人あるいは特定の監視センタに異常情報等を送信されるものである。従って、この稼動情報送信設定画面の呼び出しには、送信先を指定するＩＤ等、セキュリテイ保護の機能を持たせる必要のあることは言うまでもない。情報送信ボタン６０２は、稼動情報を送信するか否かを設定するボタンであり、添付画像ボタン６０３は、稼動情報に画像を添付するか否かを設定するボタンである。添付画像「あり」を設定した場合、通報装置１５１５で稼動情報が作成される時刻の画像が添付される。送信ボタン６０４を押下（クリック）すると、情報送信ボタン６０２及び添付画像ボタン６０３で設定された内容が通報装置１５１５のＣＰＵ１６０１に送信され、情報送信ボタン６０２及び添付画像ボタン６０３で設定された内容がＣＰＵ１６０１に設定される。情報送信ボタン６０２及び添付画像ボタン６０３で設定しても、その後に送信ボタン６０４を押下しなかった場合は、設定は無効となる。
【００３９】
また、図６で示される稼動情報送信設定画面の別の実施例としては、図１７で示される稼動情報送信設定画面とすることもできる。なお、図１７において、図６と同じものには同じ符号が付されている。１７０１は、稼動情報送信設定画面であり、１７０２は、送信先の例えば、電子メールアドレスあるいはＩＤであり、オペレータが所望の送信先を設定できるように構成されている。従って、この送信先に設定された送信先からの情報送信要求があれば、稼動情報を送信することができ、セキュリテイの高い監視システムが構築できる。
【００４０】
ステップ５０２は、携帯端末１５１２やクライアントＰＣ１５１３から通報装置１５１５に稼動情報の送信を要求するか否かを判断するステップである。要求する方法は、一般には電子メールであるが、通報装置１５１５が受信できる送信方法であれば、電子メール以外の方法でも構わない。送信要求があればステップ５０３に進み、なければ送信は終了する。
【００４１】
ステップ５０３は、携帯端末１５１２やクライアントＰＣ１５１３からの稼動情報の送信要求をチェックし、通報装置１５１５で稼動情報を送信する設定になっているか判断するステップである。図６において、情報送信ボタン６０２で「あり」となっている場合は、ステップ５０４に進み、「なし」になっている場合は、送信せずに終了となる。これにより不要なアクセスに対しては、情報送信されず、セキュリテイの高いシステムが構築できる。また、送信先を複数設定する場合、送信先毎に稼動情報の送信「あり」、「なし」等も設定することもできる。
【００４２】
ステップ５０４は、通報装置１５１５で稼動情報に画像を添付するか判断するステップである。図６において、添付画像ボタン６０３で「あり」となっている場合は、ステップ５０５に進み、「なし」になっている場合は、ステップ５０６に進む。
【００４３】
ステップ５０５は、通報装置１５１５で添付画像のある稼動情報を作成するステップである。画像は、稼動情報を作成する時刻の画像を映像蓄積配信装置１５０４から取得する。ステップ５０６は、通報装置１５１５で添付画像のない稼動情報を作成するステップである。
【００４４】
ステップ５０７は、通報装置１５１５でステップ５０５又はステップ５０６で作成された稼動情報を携帯端末１５１２やクライアントＰＣ１５１３に送信するステップである。なお、送信する稼動情報は、例えば、上記第１の実施例で説明した図４に示すような稼動情報表示画面であり、稼動情報送信要求のあった時間情報とともに送信される。送信する方法は一般には電子メールであるが、携帯端末１５１２やクライアントＰＣ１５１３が受信できる送信方法であれば、電子メールの他の方法でも構わない。
【００４５】
ステップ５０８は、携帯端末１５１２やクライアントＰＣ１５１３で通報装置１５１５から送信された例えば、図４に示すような稼動情報を閲覧するステップである。
【００４６】
以上、本発明によれば、警報情報が送信された時刻から予め設定した時間が経過した時点で再度警報情報が送信されていない場合、また携帯端末やクライアントＰＣから通報装置へ通報装置の稼動の問合せがあった場合、通報装置から携帯端末やクライアントＰＣに稼動情報を送信することで通報装置の稼動を確認することが可能となる。
【００４７】
次に、本発明の第３の実施例について、図７、図８および図９を用いて説明する。本発明の第３の実施例は、監視カメラ１５０１あるいは監視カメラ１５０１とＷＥＢエンコーダ１５０３を繋ぐＬＡＮの伝送路１５０２等に問題が生じている場合、通報装置１５１５から携帯端末１５１２やクライアントＰＣ１５１３に異常を通報する方法について説明する。
【００４８】
図７は、第３の実施例の動作を説明するフローチャートである。図７において、ステップ７０１は、通報装置１５１５において、監視カメラ１５０１または監視カメラ１５０１とＷＥＢエンコーダ１５０３を繋ぐＬＡＮの伝送路１５０２に問題が生じている場合、携帯端末１５１２やクライアントＰＣ１５１３に異常を通報するかを設定するステップである。ここで、上記設定の一実施例について図９を用いて説明する。
【００４９】
図９は、例えば、監視カメラ１５０１−１から映像信号が送信されていないことを知らせる情報（例えば、監視カメラ１５０１−１のエラー情報あるいは異常情報）を通報装置１５１５に設定する場合の設定内容をブラウザＰＣ１５０５で表示した場合の画面例である。なお、監視カメラ１５０１は、複数台設置されているが、カメラ番号が異なるだけで動作は同じであるので、監視カメラ１５０１−１で代表して説明することにする。画面９０１は、ブラウザＰＣ１５０５のモニタ１６０７に表示された、監視カメラエラー情報送信設定画面である。エラー情報送信ボタン９０２は、監視カメラ１５０１−１から映像信号が送信されていない場合に監視カメラのエラー情報を送信するかを設定するボタンである。エラー情報送信ボタン９０２で「あり」を選択した場合、送信回数ボタン９０３が有効になる。送信回数ボタン９０３は、監視カメラ１５０１−１のエラー情報を送信する回数を設定するボタンである。「一回のみ」を選択した場合、一回だけ監視カメラのエラー情報が送信された後は、次に、監視カメラ１５０１−１から映像信号が送信されるまでは送信されない。「定期的」を選択した場合は、監視カメラ１５０１−１から映像信号が送信されるまで、送信間隔ボタン９０４で設定された時間間隔毎に監視カメラ１５０１−１のエラー情報が送信される。図９では、１時間００分に設定されている。これら全ての設定は、送信ボタン９０７をクリックすることで有効になる。
【００５０】
ステップ７０２は、Ｗｅｂエンコーダ１５０３−１において監視カメラ１５０１−１から映像信号が送信されているか判断するステップである。映像信号が送信されている場合は、ステップ７０３に進み、送信されていない場合は、ステップ７０４に進む。ここで、映像信号が正常に送信されているか否かを判断する方法は、Ｗｅｂエンコーダに内蔵されているＣＰＵで例えば、監視カメラ１５０１−１から送られてくる映像信号の垂直同期信号の有無を検出し、判断する。垂直同期信号が検出されれば、正常、なければ異常と判断する。
【００５１】
なお、ここでは簡単のため監視カメラ１５０１−１が異常の場合あるいは監視カメラ１５０１−１とＷｅｂエンコーダ１５０３−１を繋ぐＬＡＮの伝送路１５０２が異常である場合を区別せずに説明しているが、監視カメラ１５０１−１の異常またはＬＡＮの伝送路１５０２の異常を個別に検出するには、別途それぞれの異常の判定ができるように異常信号を区別し、Ｗｅｂエンコーダ１５０３−１のＣＰＵですれぞれの異常信号を区別できる処理機能を持たせることで実現できることは言うまでもない。以下本実施例では、これらの異常を代表して監視カメラ１５０１−１の異常で説明することにする。
【００５２】
ステップ７０３は、Ｗｅｂエンコーダ１５０３−１において監視カメラ１５０１−１から送信された映像信号を符号化された映像フォーマットに変換され、ステップ７０５で映像蓄積配信装置１５０４に蓄積される。
【００５３】
ステップ７０４は、Ｗｅｂエンコーダにおいて監視カメラ１５０１−１から映像信号が送信されていないことを示す映像（以下、監視カメラのエラー用映像）を作成するステップである。例えば、ＷｅｂエンコーダのＣＰＵでブルーバック（画面全体が青色）のエラー映像を作成し、このブルーバック映像がステップ７０５で映像蓄積配信装置１５０４に配信され、蓄積される。
【００５４】
ステップ７０６は、通報装置１５１５が映像蓄積配信装置１５０４の蓄積映像を監視のために取得するステップである。
【００５５】
ステップ７０７は、通報装置１５１５においてステップ７０６で取得した映像が監視カメラ１５０１−１のエラー用映像であるか否か、即ち、上述の場合、ブルーバック映像であるかどうかを判断するステップである。監視カメラのエラー用映像である場合は、ステップ７０８に進み、そうでない場合は、ステップ７１３に進む。ステップ７１３以降については、後述する。
【００５６】
ステップ７０８は、通報装置１５１５において、図９で説明した監視カメラエラー情報送信設定画面９０１のエラー情報送信ボタン９０２で、「あり」に設定してあるかを判断するステップである。「あり」に設定してある場合は、ステップ７０９に進み、そうでない場合は、終了に進む。
【００５７】
ステップ７０９は、通報装置１５１５において、図９で説明した監視カメラエラー情報送信設定画面９０１の送信回数ボタン９０３を「一回のみ」に設定してあるか判断するステップである。「一回のみ」に設定してある場合は、ステップ７１０に進み、「定期的」に設定してある場合は、ステップ７１１に進む。
【００５８】
ステップ７１０は、通報装置１５１５において、監視カメラのエラー情報または異常情報を送信していないか判断するステップである。未送信の場合は、ステップ７１２に進み、送信済みの場合は終了に進む。
【００５９】
ステップ７１１は、通報装置１５１５において、先に監視カメラ１５０１−１のエラー情報を送信してから図９で説明した送信間隔ボタン９０４で設定した時間（図９では１時間を設定してある。）を経過しているか判断するステップである。送信間隔ボタン９０４の時間を経過する場合、例えば、１時間あるいはそれ以上の時間が経過している場合は監視カメラ１５０１−１のエラー情報を送信するためにステップ７１２に進み、経過していない場合は、終了に進む。
【００６０】
ステップ７１２は、通報装置１５１５において監視カメラ１５０１−１のエラー情報を作成し、通報装置１５１５から携帯端末１５１２やクライアントＰＣ１５１３に、監視カメラ１５０１−１のエラー情報を送信するステップである。送信する方法は、一般には電子メールであるが、携帯端末１５１２やクライアントＰＣ１５１３が受信できる送信方法であれば、電子メールの他の方法でも構わない。図８は、監視カメラ１５０１−１のエラー情報を携帯端末１５１２で表示した場合の画面の一実施例である。画面８０１は、携帯端末１５１２のモニタ１６０７に表示された場合の画面を示す。文章８０２は、通報装置１５１５が監視カメラ１５０１−１（この場合は、正門１にカメラを設置）から映像信号が送信されていないことを示す文章、例えば、「監視カメラ（正門１）から映像信号が送信されていません。システム管理者に連絡してください。」と表示される。
【００６１】
次に、ステッップ７１３〜７１５について説明する。これらのステップは、監視カメラ１５０１−１または監視カメラ１５０１−１とＷＥＢエンコーダ１５０３−１を繋ぐＬＡＮの伝送路１５０２の異常が解決した場合、通報装置１５１５から携帯端末１５１２やクライアントＰＣ１５１３に通報する方法を説明するステップである。通報装置１５１５において、監視カメラ１５０１−１または監視カメラ１５０１−１とＷＥＢエンコーダ１５０３−１を繋ぐＬＡＮの伝送路１５０２の異常から正常に復帰した場合、携帯端末１５１２やクライアントＰＣ１５１３に通報するかを設定するステップについて図９を用いて説明する。
【００６２】
図９において、監視カメラ１５０１−１から映像信号が送信されない問題から復帰したことを知らせる情報（以下、監視カメラのエラー復帰情報）の設定内容をブラウザＰＣ１５０５で表示した場合の画面を示している。画面９０１は、ブラウザＰＣ１５０５のモニタ１６０７に表示された監視カメラ１５０１−１のエラー復帰情報を設定する画面である。なお、画面９０１は、上述した通り監視カメラ１５０１−１のエラー情報を設定する画面としても用いられる。エラー復帰情報送信ボタン９０５は、監視カメラ１５０１−１から映像信号が送信されない問題から復帰した場合、監視カメラ１５０１−１のエラー復帰情報を送信するかを設定するボタンである。エラー復帰情報送信ボタン９０５が「あり」の場合は、エラー復帰情報が送信される。また、添付画像ボタン９０６は、監視カメラ１５０１−１のエラー復帰情報に画像を添付するかを設定するボタンである。「あり」を設定した場合、通報装置１５１５で監視カメラのエラー復帰情報が作成される時刻の画像が添付される。これらの設定は、送信ボタン９０７をクリックすることで有効になる。
【００６３】
而して、上述したように監視カメラ１５０１−１の異常が復帰した場合、ステップ７０７では、ＷＥＢエンコーダ１５０３−１から取得した映像が正常な映像であればステップ７１３に進む。
【００６４】
ステップ７１３は、通報装置１５１５において現在取得した映像の１つ前に取得した映像が監視カメラ１５０１−１のエラー用映像であったかどうかを判断するステップである。監視カメラ１５０１−１のエラー用映像であった場合は、ステップ７１４に進み、そうでなかった場合は、終了に進む。
【００６５】
ステップ７１４は、通報装置１５１５において、監視カメラ１５０１−１から映像信号が送信されていない問題から復帰した場合、図９に示すように監視カメラ１５０１−１のエラー復帰情報送信ボタン９０５が「あり」に設定してあるかを判断するステップである。「あり」の場合は、ステップ７１５に進み、そうでない場合は、終了に進む。
【００６６】
ステップ７１５は、通報装置１５１５において監視カメラ１５０１−１のエラー復帰情報を作成し、通報装置１５１５から携帯端末１５１２やクライアントＰＣ１５１３に、監視カメラ１５０１−１のエラー復帰情報を送信する。送信する方法は、一般には電子メールであるが、携帯端末１５１２やクライアントＰＣ１５１３が受信できる送信方法であれば、電子メールの他の方法でも構わない。図１０は、監視カメラ１５０１−１のエラー復帰情報を携帯端末１５１２で表示した場合の一実施例を示す。画面１００１は、携帯端末１５１２のモニタ１６０７に表示した場合の画面を示している。文章１００２は、通報装置１５１５において監視カメラ１５０１−１からの映像信号の送信が復帰されたことを示す文章であり、図９の添付画像ボタン９０６において「あり」を設定した場合、監視カメラ１５０１−１のエラー復帰情報作成時の画像が添付画像１００３として表示される。
【００６７】
次に、本発明の第４の実施例について図１１〜図１３を用いて説明する。この第４の実施例は、ＷＥＢエンコーダ１５０３−１またはＷＥＢエンコーダ１５０３−１と映像蓄積配信装置１５０４を繋ぐＬＡＮの伝送路１５０２に異常が生じている場合、通報装置１５１５から携帯端末１５１２やクライアントＰＣ１５１３に通報する方法について示している。なお、ＷＥＢエンコーダ１５０３は、複数台あるが、ここではＷＥＢエンコーダ１５０３−１を代表として説明する。また、ここでは簡単のためＷＥＢエンコーダ１５０３−１が異常の場合あるいはＷＥＢエンコーダ１５０３−１と映像蓄積配信装置１５０４を繋ぐＬＡＮの伝送路１５０２が異常である場合とを区別せずに説明しているが、ＷＥＢエンコーダ１５０３−１またはＬＡＮの伝送路１５０２の個別の異常を検出するには、別途それぞれの異常信号の判定ができるように映像蓄積配信装置１５０４のＣＰＵで検出できる異常信号を区別できる処理機能を持たせることで実現できることは言うまでもない。以下本実施例では、これらの異常を代表してＷＥＢエンコーダ１５０３−１の異常で説明することにする。
【００６８】
図１１は、本発明の第４の実施例を説明するための動作のフローチャートを示す。ステップ１１０１は、通報装置１５１５において、ＷＥＢエンコーダ１５０３−１が異常である場合、携帯端末１５１２やクライアントＰＣ１５１３に通報するかを設定するステップである。ここで、上記設定の一実施例について図１３を用いて説明する。
【００６９】
図１３は、Ｗｅｂエンコーダ１５０３−１から映像が送信されていないことを知らせる情報（以下、Ｗｅｂエンコーダ１５０３−１のエラー情報）の設定内容をブラウザＰＣ１５０５で表示した場合の一実施例を示す図である。画面１３０１は、ブラウザＰＣ１５０５のモニタ１６０７に表示されたＷｅｂエンコーダ１５０３−１のエラー情報を設定する画面である。エラー情報送信ボタン１３０２は、Ｗｅｂエンコーダ１５０３−１から映像が送信されていない場合にＷｅｂエンコーダ１５０３−１のエラー情報を送信するかを設定するボタンである。エラー情報送信ボタン１３０２で「あり」を選択した場合、送信回数ボタン１３０３が有効になる。送信回数ボタン１３０３は、Ｗｅｂエンコーダ１５０３−１のエラー情報を送信する回数を設定するボタンである。「一回のみ」を選択した場合、一回だけＷｅｂエンコーダのエラー情報を送信した後は、Ｗｅｂエンコーダ１５０３−１から次の映像が送信されるまでは送信されない。「定期的」を選択した場合は、Ｗｅｂエンコーダ１５０３−１から映像が送信されるまで、送信間隔ボタン１３０４で設定した時間間隔毎に、例えば、図１３では、１時間毎にＷｅｂエンコーダ１５０３−１のエラー情報を送信する。これら全ての設定は、送信ボタン１３０７をクリックすることで有効になる。
【００７０】
ステップ１１０２は、映像蓄積配信装置１５０４においてＷｅｂエンコーダ１５０３−１から映像が送信されているかを判断するステップである。映像が送信されている場合は、ステップ１１０３に進み、送信されていない場合は、ステップ１１０４に進む。ここで、Ｗｅｂエンコーダ１５０３−１から映像信号が正常に送信されているか否かを判断する方法は、以下の通りである。
【００７１】
まず、映像蓄積配信装置１５０４は、複数のＷｅｂエンコーダ１５０３に対して順次Ｗｅｂエンコーダ１５０３に蓄積されている映像を送信する画像送信指令を送信し、この画像送信指令を受けたそれぞれのＷｅｂエンコーダ１５０３が監視カメラ１５０１から送られた画像を順次映像蓄積配信装置１５０４に送信するように構成されている。従って、映像蓄積配信装置１５０４からの画像送信指令に対してＷｅｂエンコーダ１５０３からの応答、例えば、Ｗｅｂエンコーダ１５０３−１からの応答がなければ、Ｗｅｂエンコーダ１５０３−１に異常が発生していると判断される。
【００７２】
ステップ１１０３は、Ｗｅｂエンコーダ１５０３−１から送信された映像を映像蓄積配信装置１５０４に保存するステップである。ステップ１１０４は、Ｗｅｂエンコーダ１５０３−１からの応答がなければ映像蓄積配信装置１５０４においてＷｅｂエンコーダ１５０３から映像が送信されていないことを示す映像（以下、Ｗｅｂエンコーダのエラー用映像）を作成するステップである。例えば、映像蓄積配信装置１５０４のＣＰＵでレッドバック（画面全体が赤色）のエラー映像を作成し、映像蓄積配信装置１５０４に蓄積し、ステップ１１０５に進む。なお、Ｗｅｂエンコーダのエラー用情報は、前述の監視カメラ１５０１−１のエラー情報（ブルーバック）と区別するために異なる色のエラー情報を作成するのが望ましい。
【００７３】
ステップ１１０５は、通報装置１５１５が映像蓄積配信装置１５０４から映像を取得するステップである。ステップ１１０６は、通報装置１５１５においてステップ１１０５で取得した映像がＷｅｂエンコーダ１５０３−１のエラー用映像であるかを判断するステップである。Ｗｅｂエンコーダ１５０３−１のエラー用映像である場合は、ステップ１１０７に進み、そうでない場合は、ステップ１１１２に進む。ステップ１１１２以降については、後述する。
【００７４】
ステップ１１０７は、Ｗｅｂエンコーダ１５０３−１から映像が送信されていない場合、通報装置１５１５の設定において、図１３で示すようにＷｅｂエンコーダ１５０３−１のエラー情報送信ボタン１３０２の設定が「あり」にしてあるかを判断するステップである。Ｗｅｂエンコーダ１５０３−１のエラー情報送信ボタンが「あり」の場合は、ステップ１１０８に進み、そうでない場合は終了に進む。
【００７５】
ステップ１１０８は、通報装置１５１５において送信回数ボタン１３０３を「一回のみ」に設定しているか判断するステップである。「一回のみ」に設定している場合は、ステップ１１０９に進み、「定期的」に設定している場合は、ステップ１１１０に進む。
【００７６】
ステップ１１０８は、通報装置１５１５においてＷｅｂエンコーダ１５０３−１のエラー情報を送信していないかを判断するステップである。未送信の場合は、ステップ１１１１に進み、送信済みの場合は、終了に進む。
【００７７】
ステップ１１１０は、通報装置１５１５において前に（最後に）Ｗｅｂエンコーダ１５０３−１のエラー情報を送信してから図１３で示す送信間隔ボタン１３０４で設定された時間を経過しているかを判断するステップである。送信間隔ボタン１３０４で設定された時間、例えば、図１３では、１時間以上を経過している場合は、ステップ１１１１に進み、経過していない場合は、終了に進む。
【００７８】
ステップ１１１１は、通報装置１５１５においてＷｅｂエンコーダ１５０３−１のエラー情報を作成し、通報装置１５１５から携帯端末１５１２やクライアントＰＣ１５１３にＷｅｂエンコーダ１５０３−１のエラー情報を送信するステップである。送信する方法は、一般には電子メールであるが、携帯端末１５１２やクライアントＰＣ１５１３が受信できる送信方法であれば、電子メールの他の方法でも構わない。図１２は、Ｗｅｂエンコーダ１５０３−１のエラー情報を携帯端末１５１２で表示した場合の一実施例を示す図である。画面１２０１は、携帯端末１５１２のモニタ１６０７に表示された場合の画面である。文章１２０２は、通報装置１５１５がＷｅｂエンコーダ１５０３−１から映像が送信されていないことを示す文章を表示している。
【００７９】
次に、Ｗｅｂエンコーダ１５０３−１の異常が解決した場合、通報装置１５１５から携帯端末１５１２やクライアントＰＣ１５１３に通報する方法について、ステップ１１１２〜１１１４を用いて説明する。
【００８０】
図１３に示す１３０１は、Ｗｅｂエンコーダ１５０３−１から映像が送信されない問題から正常に復帰したことを知らせる情報（以下、Ｗｅｂエンコーダ１５０３−１のエラー復帰情報）の設定内容をブラウザＰＣ１５０５で表示した場合の画面を示す。なお、この画面は、上述と同様にエラー情報設定画面としても用いられる。エラー復帰情報送信ボタン１３０５は、Ｗｅｂエンコーダ１５０３−１から映像が送信されない問題から復帰した場合にＷＥＢエンコーダ１５０３−１のエラー復帰情報を送信するかを設定するボタンである。添付画像ボタン１３０６は、Ｗｅｂエンコーダ１５０３−１のエラー復帰情報に画像を添付するかを設定するボタンである。「あり」を設定した場合、通報装置１５１５でＷｅｂエンコーダ１５０３−１のエラー復帰情報が作成される時刻の画像が添付される。これらの設定は、送信ボタン１３０７をクリックすることで有効になる。
【００８１】
ステップ１１０６で、映像蓄積配信装置１５０４から取得した映像がＷｅｂエンコーダ１５０３−１のエラー用映像でない場合、ステップ１１１２に進む。
【００８２】
ステップ１１１２は、通報装置１５１５において現在取得した映像より前に取得した映像がＷｅｂエンコーダ１５０３−１のエラー用映像であったかを判断するステップである。Ｗｅｂエンコーダのエラー用映像であった場合、ステップ１１１３に進み、そうでなかった場合は終了に進む。
【００８３】
ステップ１１１３は、通報装置１５１５においてＷｅｂエンコーダ１５０３−１から映像が送信されていない問題から復帰した場合、図１３に示すようにＷｅｂエンコーダ１５０３−１のエラー復帰情報送信ボタン１３０５が「あり」に設定してあるかを判断するステップである。「あり」の場合は、ステップ１１１４に進み、そうでない場合は終了に進む。
【００８４】
ステップ１１１４は、通報装置１５１５においてＷｅｂエンコーダ１５０３−１のエラー復帰情報を作成し、通報装置１５１５から携帯端末１５１２やクライアントＰＣ１５１３に、Ｗｅｂエンコーダ１５０３−１のエラー復帰情報を送信する。送信する方法は一般には電子メールであるが、携帯端末１５１２やクライアントＰＣ１５１３が受信できる送信方法であれば、電子メールの他の方法でも構わない。図１４は、Ｗｅｂエンコーダ１５０３−１のエラー復帰情報を携帯端末１５１２で表示した場合の一実施例を示す図である。画面１４０１は、携帯端末１５１２のモニタ１６０７に表示した場合の画面を示す。文章１４０２は、通報装置１５１５がＷｅｂエンコーダ１５０３−１から映像の送信が復帰されたことを示す文章であり、図１３の添付画像ボタン１３０７において「あり」を設定した場合、Ｗｅｂエンコーダのエラー復帰情報作成時の画像が添付画像１４０３として表示される。
【００８５】
以上、本発明について詳細に説明したが、本発明によれば、通報装置、監視カメラ、Ｗｅｂエンコーダあるいはこれらを接続しているＬＡＮ伝送路に問題が発生した場合、通報装置から携帯端末やクライアントＰＣへ該当するエラー情報を送信することで、常に映像蓄積配信装置の映像を監視することなく装置の異常を確認する事が可能である。
また、本発明によれば、監視カメラ及びＷＥＢエンコーダ異常の問題から復帰した場合、通報装置から携帯端末やクライアントＰＣへエラー復帰情報を送信することで、常に映像蓄積配信装置の映像を監視することなく装置の復帰を確認する事が可能である。これにより、従来不可能であった通報装置、監視カメラ、Ｗｅｂエンコーダあるいは伝送路の異常を携帯端末やクライアントＰＣで確認することができる。
【００８６】
以上、本発明について詳細に説明したが、本発明は、ここに記載された情報通報システムおよび情報通報方法の実施例に限定されるものではなく、上記以外の情報通報システムおよび情報通報方法の分野にも広く適応することが出来ることは、言うまでも無い。例えば、本発明の第３および第４の実施例を考慮した場合、第１の実施例として説明した図１に示す経過時間初期化ステップ１０４は、通報装置が上述したエラー情報やエラー復帰情報を送信した場合にも実行されてもよい。
【００８７】
【発明の効果】
本発明によれば、通報装置を用いて稼動情報を作成及び送信することで、携帯端末やクライアントＰＣで通報装置の稼動を確認することができる。また警告情報が送信された時刻から予め設定した時間が経過した時点で再度警告情報が送信されていない場合に稼動情報を送信することにより、携帯端末などで過剰に情報を受信することなく、また決められた時間毎に稼動情報を送信することで、情報を受信する時刻も予想することができ、その時刻に情報が送信されなかった時点で通報装置が稼動していないことも容易に判断できる。
【００８８】
更に、即座に通報装置の稼動を確認したい場合は、携帯端末やクライアントＰＣで通報装置に稼動情報を要求することで、通報装置から携帯端末やクライアントＰＣに稼動情報を即時に送信するため、暫くしても通報装置から稼動情報が送信されなかった時は通報装置が稼動していないと容易に判断できる。
【００８９】
また、通報装置を用いて監視カメラのエラー情報を作成及び送信することで、携帯端末やクライアントＰＣで監視カメラの異常を確認することができる。更に、通報装置を用いて監視カメラのエラー復帰情報を作成及び送信することで、携帯端末やクライアントＰＣで監視カメラの異常の復帰を確認することができる。
【図面の簡単な説明】
【図１】本発明の一実施例の動作を説明するためのフローチャートを示す。
【図２】本発明の一実施例の通報装置の概略構成を示すブロック図である。
【図３】本発明のブラウザＰＣにおける稼動情報送信設定画面の一実施例を示す図である。
【図４】本発明の通報装置の稼動情報の一実施例の表示画面を示す図である。
【図５】本発明の他の一実施例の動作を説明するためのフローチャートを示す。
【図６】本発明のブラウザＰＣにおける稼動情報送信設定画面の他の一実施例を示す図である。
【図７】本発明の他の一実施例の動作を説明するためのフローチャートを示す。
【図８】本発明において携帯端末に監視カメラのエラー情報の表示をする一実施例を示す図である。
【図９】本発明のブラウザＰＣにおける監視カメラのエラー及びエラー復帰情報設定画面の一実施例を示す図である。
【図１０】本発明の携帯端末における監視カメラのエラー復帰情報表示の一実施例を示す図である。
【図１１】本発明の他の一実施例の動作を説明するためのフローチャートを示す。
【図１２】本発明の携帯端末におけるＷｅｂエンコーダのエラー情報表示の一実施例を示す図である。
【図１３】本発明のブラウザＰＣにおけるＷｅｂエンコーダのエラーおよびエラー復帰情報設定画面の一実施例を示す図である。
【図１４】本発明の携帯端末におけるＷｅｂエンコーダのエラー復帰情報表示の一実施例を示す図である。
【図１５】従来のネットワーク監視システムの一例を示すブロック図である。
【図１６】従来のネットワーク監視システムの装置に使用されるハードウェア構成の一例を示すブロック図である。
【図１７】本発明のブラウザＰＣにおける稼動情報送信設定画面の他の一実施例を示す図である。
【符号の説明】
１０１：稼動情報送信時間間隔設定ステップ、１０２：初期値設定ステップ、１０３：警報情報送信ステップ、１０４：開始時刻設定ステップ、１０５：送信間隔判定ステップ、１０６：稼動情報送信ステップ、２０１：タイマ、１５０１：監視カメラ、１５０２：ＬＡＮの伝送路、１５０３：Ｗｅｂエンコーダ、１５０４：映像蓄積配信装置、１５０５：ブラウザＰＣ、１５０６：ハブ、１５０７：映像閲覧用データ変換装置、１５０８：モデム、１５０９：公衆電話回線、１５１０：ＷＡＮ、１５１１：携帯電話会社、１５１２：携帯端末、１５１３：クライアントＰＣ、１５１５通報装置、１６０１：ＣＰＵ、１６０２：メモリ、１６０３：ネットワークインタフェース、１６０４：記憶装置、１６０５：入力インタフェース、１６０６：ビデオインタフェース、１６０７：モニタ、１６０８：キーボード、１６０９：マウス。
【図１】
2005038114.tif 000003
【図２】
2005038114.tif 000004
【図３】
2005038114.tif 000005
【図４】
2005038114.tif 000006
【図５】
2005038114.tif 000007
【図６】
2005038114.tif 000008
【図７】
2005038114.tif 000009
【図８】
2005038114.tif 000010
【図９】
2005038114.tif 000011
【図１０】
2005038114.tif 000012
【図１１】
2005038114.tif 000013
【図１２】
2005038114.tif 000014
【図１３】
2005038114.tif 000015
【図１４】
2005038114.tif 000016
【図１５】
2005038114.tif 000017
【図１６】
2005038114.tif 000018
【図１７】
2005038114.tif 000019